【手続補正書】
【提出日】平成17年12月20日(2005.12.20)
【手続補正１】
【補正対象書類名】明細書
【補正対象項目名】発明の名称
【補正方法】変更
【補正の内容】
【発明の名称】画像形成システム、画像形成方法、プログラム、及び記憶媒体
【手続補正２】
【補正対象書類名】明細書
【補正対象項目名】特許請求の範囲
【補正方法】変更
【補正の内容】
【特許請求の範囲】
【請求項１】  ネットワークで接続された少なくとも２つの画像形成装置からなる画像形成システムにおいて、
第１の画像形成装置に設けられ、第２の画像形成装置に画像データを送信する送信手段と、
前記第２の画像形成装置に設けられ、前記送信された画像データに基づく複数部数の画像形成を実行するに先立って、予め１部数分だけの画像形成を自装置に実行させる第１の画像形成指示手段と、
前記第２の画像形成装置に設けられ、前記送信された画像データに基づき、少なくとも前記複数部数の残余分の画像形成を自装置に実行させる第２の画像形成指示手段と
を有することを特徴とする画像形成システム。
【請求項２】  前記第２の画像形成指示手段は、前記第１の画像形成指示手段による指示に基づき画像形成された後、ユーザから実行指令を受け取った場合に、少なくとも前記複数部数の残余分の画像形成を自装置に実行させることを特徴とする請求項１記載の画像形成システム。
【請求項３】  前記第２の画像形成指示手段は、前記第１の画像形成指示手段による指示に基づき画像形成された後、ユーザから取消指令を受け取った場合、少なくとも前記複数部数の残余分の画像形成を自装置に中止させることを特徴とする請求項１記載の画像形成システム。
【請求項４】  前記第２の画像形成装置に設けられ、前記第１の画像形成指示手段による１部数分だけの画像形成の後、少なくとも前記残余分の値に対するユーザによる変更値を受け取る受取手段を更に有し、
前記第２の画像形成指示手段は、前記受取手段が受け取った変更値分の画像形成を自装置に実行させることを特徴とする請求項１記載の画像形成システム。
【請求項５】  ネットワークで接続された少なくとも２つの画像形成装置からなる画像形成システムにおいて、
第１の画像形成装置に設けられ、自装置に保存されている画像データに基づき１部数分の画像形成を自装置に実行させる第１の画像形成指示手段と、
前記第１の画像形成装置に設けられ、前記自装置に保存されている画像データを第２の画像形成装置に送信する送信手段と、
前記第２の画像形成装置に設けられ、前記送信された画像データに基づき複数部数の画像形成を自装置に実行させる第２の画像形成指示手段と
を有することを特徴とする画像形成システム。
【請求項６】  前記第２の画像形成指示手段は、前記第１の画像形成指示手段による指示に基づき画像形成された後、ユーザから実行指令を受け取った場合に、前記画像形成を自装置に実行させることを特徴とする請求項５記載の画像形成システム。
【請求項７】  前記第２の画像形成指示手段は、前記第１の画像形成指示手段による指示に基づき画像形成された後、ユーザから取消指令を受け取った場合、前記画像形成を自装置に実行させないことを特徴とする請求項５記載の画像形成システム。
【請求項８】  前記第１の画像形成装置に設けられ、前記第１の画像形成指示手段による１部数分だけの画像形成の後、前記複数部数の値に対するユーザによる変更値を受け取る受取手段を更に有し、
前記第２の画像形成指示手段は、前記受取手段が受け取った変更値分の画像形成を自装置に実行させることを特徴とする請求項５記載の画像形成システム。
【請求項９】  ネットワークで接続された少なくとも２つの画像形成装置からなる画像形成システムに適用される画像形成方法において、
第１の画像形成装置が、第２の画像形成装置に画像データを送信する送信ステップと、
前記第２の画像形成装置が、前記送信された画像データに基づく複数部数の画像形成を実行するに先立って、予め１部数分だけの画像形成を自装置に実行させる第１の画像形成指示ステップと、
前記第２の画像形成装置が、前記送信された画像データに基づき、少なくとも前記複数部数の残余分の画像形成を自装置に実行させる第２の画像形成指示ステップと
を有することを特徴とする画像形成方法。
【請求項１０】  前記第２の画像形成指示ステップは、前記第１の画像形成指示ステップによる指示に基づき画像形成された後、ユーザから実行指令を受け取った場合に、少なくとも前記複数部数の残余分の画像形成を自装置に実行させることを特徴とする請求項９記載の画像形成方法。
【請求項１１】  ネットワークで接続された少なくとも２つの画像形成装置からなる画像形成システムに適用される画像形成方法において、
第１の画像形成装置が、自装置に保存されている画像データに基づき１部数分の画像形成を自装置に実行させる第１の画像形成指示ステップと、
前記第１の画像形成装置が、前記自装置に保存されている画像データを第２の画像形成装置に送信する送信ステップと、
前記第２の画像形成装置が、前記送信された画像データに基づき複数部数の画像形成を自装置に実行させる第２の画像形成指示ステップと
を有することを特徴とする画像形成方法。
【請求項１２】  前記第２の画像形成指示ステップは、前記第１の画像形成指示ステップによる指示に基づき画像形成された後、ユーザから実行指令を受け取った場合に、前記画像形成を自装置に実行させることを特徴とする請求項１１記載の画像形成方法。
【請求項１３】  ネットワークで接続された少なくとも２つの画像形成装置からなる画像形成システムに適用される画像形成方法を、コンピュータに実行させるためのプログラムにおいて、
前記画像形成方法が、
第１の画像形成装置が、第２の画像形成装置に画像データを送信する送信ステップと、
前記第２の画像形成装置が、前記送信された画像データに基づく複数部数の画像形成を実行するに先立って、予め１部数分だけの画像形成を自装置に実行させる第１の画像形成指示ステップと、
前記第２の画像形成装置が、前記送信された画像データに基づき、少なくとも前記複数部数の残余分の画像形成を自装置に実行させる第２の画像形成指示ステップと
を有することを特徴とするプログラム。
【請求項１４】  ネットワークで接続された少なくとも２つの画像形成装置からなる画像形成システムに適用される画像形成方法をプログラムとして記憶した、コンピュータにより読み出し可能な記憶媒体において、
前記画像形成方法が、
第１の画像形成装置が、第２の画像形成装置に画像データを送信する送信ステップと、
前記第２の画像形成装置が、前記送信された画像データに基づく複数部数の画像形成を実行するに先立って、予め１部数分だけの画像形成を自装置に実行させる第１の画像形成指示ステップと、
前記第２の画像形成装置が、前記送信された画像データに基づき、少なくとも前記複数部数の残余分の画像形成を自装置に実行させる第２の画像形成指示ステップと
を有することを特徴とする記憶媒体。
【請求項１５】  ネットワークで接続された少なくとも２つの画像形成装置からなる画像形成システムに適用される画像形成方法をプログラムとして記憶した、コンピュータにより読み出し可能な記憶媒体において、
前記画像形成方法が、
第１の画像形成装置が、自装置に保存されている画像データに基づき１部数分の画像形成を自装置に実行させる第１の画像形成指示ステップと、
前記第１の画像形成装置が、前記自装置に保存されている画像データを第２の画像形成装置に送信する送信ステップと、
前記第２の画像形成装置が、前記送信された画像データに基づき複数部数の画像形成を自装置に実行させる第２の画像形成指示ステップと
を有することを特徴とする記憶媒体。
【請求項１６】  ネットワークで接続された少なくとも２つの画像形成装置からなる画像形成システムにおいて、
第１の画像形成装置に設けられ、自装置に保存されている画像データに基づき第１の所定部数の画像形成を実行するに先立って、予め１部数分だけの画像形成を自装置に実行させる第１の画像形成指示手段と、
前記第１の画像形成装置に設けられ、前記自装置に保存されている画像データに基づき、少なくとも前記第１の所定部数の残余分の画像形成を自装置に実行させる第２の画像形成指示手段と、
前記第１の画像形成装置に設けられ、前記自装置に保存されている画像データを第２の画像形成装置に送信する送信手段と、
前記第２の画像形成装置に設けられ、前記送信された画像データに基づき第２の所定部数の画像形成を自装置に実行させる第３の画像形成指示手段と
を有することを特徴とする画像形成システム。
【請求項１７】  前記第２および第３の画像形成指示手段はそれぞれ、前記第１の画像形成指示手段による指示に基づき画像形成された後、ユーザから実行指令を受け取った場合に、各画像形成を自装置に実行させることを特徴とする請求項１６記載の画像形成システム。
【請求項１８】  前記第２および第３の画像形成指示手段それぞれは、前記第１の画像形成指示手段による指示に基づき画像形成された後、ユーザから取消指令を受け取った場合、各画像形成を自装置に実行させないことを特徴とする請求項１６記載の画像形成システム。
【請求項１９】  前記第１の画像形成装置に設けられ、前記第１の画像形成指示手段による１部数分だけの画像形成の後、前記第１および第２の所定部数の値に対するユーザによる変更値を受け取る受取手段を更に有し、
前記第２および第３の画像形成指示手段はそれぞれ、前記受取手段が受け取った各変更値分に基づき各画像形成を自装置に実行させることを特徴とする請求項１６記載の画像形成システム。
【請求項２０】  ネットワークで接続された少なくとも２つの画像形成装置からなる画像形成システムにおいて、
第１の画像形成装置に設けられ、第２の画像形成装置に画像データを送信する送信手段と、
前記第２の画像形成装置に設けられ、前記送信された画像データに基づく第１の所定部数の画像形成を実行するに先立って、予め１部数分だけの画像形成を自装置に実行させる第１の画像形成指示手段と、
前記第１の画像形成装置に設けられ、自装置に保存されている画像データに基づき、第２の所定部数の画像形成を自装置に実行させる第２の画像形成指示手段と、
前記第２の画像形成装置に設けられ、前記送信された画像データに基づき、少なくとも前記第１の所定部数の残余分の画像形成を自装置に実行させる第３の画像形成指示手段と
を有することを特徴とする画像形成システム。
【請求項２１】  前記第２および第３の画像形成指示手段はそれぞれ、前記第１の画像形成指示手段による指示に基づき画像形成された後、ユーザから実行指令を受け取った場合に、各画像形成を自装置に実行させることを特徴とする請求項２０記載の画像形成システム。
【請求項２２】  前記第２および第３の画像形成指示手段はそれぞれ、前記第１の画像形成指示手段による指示に基づき画像形成された後、ユーザから取消指令を受け取った場合、各画像形成を自装置に実行させないことを特徴とする請求項２０記載の画像形成システム。
【請求項２３】  前記第２の画像形成装置に設けられ、前記第１の画像形成指示手段による１部数分だけの画像形成の後、前記第１および第２の所定部数に対するユーザによる変更値を受け取る受取手段を更に有し、
前記第２および第３の画像形成指示手段はそれぞれ、前記受取手段が受け取った各変更値分に基づき各画像形成を自装置に実行させることを特徴とする請求項２０記載の画像形成システム。
【請求項２４】  ネットワークで接続された少なくとも２つの画像形成装置からなる画像形成システムにおいて、
第１の画像形成装置に設けられ、自装置に保存されている画像データに基づき第１の所定部数の画像形成を実行するに先立って、予め１部数分だけの画像形成を自装置に実行させる第１の画像形成指示手段と、
前記第１の画像形成装置に設けられ、第２の画像形成装置に画像データを送信する送信手段と、
前記第２の画像形成装置に設けられ、前記送信された画像データに基づく第２の所定部数の画像形成を実行するに先立って、予め１部数分だけの画像形成を自装置に実行させる第２の画像形成指示手段と、
前記第１の画像形成装置に設けられ、前記自装置に保存されている画像データに基づき、少なくとも前記第１の所定部数の残余分の画像形成を自装置に実行させる第３の画像形成指示手段と、
前記第２の画像形成装置に設けられ、前記送信された画像データに基づき、少なくとも前記第２の所定部数の残余分の画像形成を自装置に実行させる第４の画像形成指示手段と
を有することを特徴とする画像形成システム。
【請求項２５】  前記第３および第４の画像形成指示手段はそれぞれ、前記第１および／または第２の画像形成指示手段による指示に基づき画像形成された後、ユーザから実行指令を受け取った場合に、各画像形成を自装置に実行させることを特徴とする請求項２４記載の画像形成システム。
【請求項２６】  前記第３および第４の画像形成指示手段それぞれは、前記第１および／または第２の画像形成指示手段による指示に基づき画像形成された後、ユーザから取消指令を受け取った場合、各画像形成を自装置に実行させないことを特徴とする請求項２４記載の画像形成システム。
【請求項２７】  前記第１および／または第２の画像形成装置に設けられ、前記第１および／または第２の画像形成指示手段による１部数分だけの画像形成の後、前記第１および第２の所定部数の値に対するユーザによる変更値を受け取る受取手段を更に有し、
前記第３および第４の画像形成指示手段はそれぞれ、前記受取手段が受け取った各変更値分に基づき各画像形成を自装置に実行させることを特徴とする請求項２４記載の画像形成システム。
【請求項２８】  ネットワークで接続された少なくとも２つの画像形成装置からなる画像形成システムに適用される画像形成方法において、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、前記自装置に保存されている画像データに基づき、少なくとも前記第１の所定部数の残余分の画像形成を自装置に実行させる第２の画像形成指示ステップと、
前記第１の画像形成装置が、前記自装置に保存されている画像データを第２の画像形成装置に送信する送信ステップと、
前記第２の画像形成装置が、前記送信された画像データに基づき第２の所定部数の画像形成を自装置に実行させる第３の画像形成指示ステップと
を有することを特徴とする画像形成方法。
【請求項２９】  前記第２および第３の画像形成指示ステップはそれぞれ、前記第１の画像形成指示ステップによる指示に基づき画像形成された後、ユーザから実行指令を受け取った場合に、各画像形成を自装置に実行させることを特徴とする請求項２８記載の画像形成方法。
【請求項３０】  ネットワークで接続された少なくとも２つの画像形成装置からなる画像形成システムに適用される画像形成方法において、
第１の画像形成装置が、第２の画像形成装置に画像データを送信する送信ステップと、
前記第２の画像形成装置が、前記送信された画像データに基づく第１の所定部数の画像形成を実行するに先立って、予め１部数分だけの画像形成を自装置に実行させる第１の画像形成指示ステップと、
前記第１の画像形成装置が、自装置に保存されている画像データに基づき、第２の所定部数の画像形成を自装置に実行させる第２の画像形成指示ステップと、
前記第２の画像形成装置が、前記送信された画像データに基づき、少なくとも前記第１の所定部数の残余分の画像形成を自装置に実行させる第３の画像形成指示ステップと
を有することを特徴とする画像形成方法。
【請求項３１】  前記第２および第３の画像形成指示ステップはそれぞれ、前記第１の画像形成指示ステップによる指示に基づき画像形成された後、ユーザから実行指令を受け取った場合に、各画像形成を自装置に実行させることを特徴とする請求項３０記載の画像形成方法。
【請求項３２】  ネットワークで接続された少なくとも２つの画像形成装置からなる画像形成システムに適用される画像形成方法において、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、第２の画像形成装置に画像データを送信する送信ステップと、
前記第２の画像形成装置が、前記送信された画像データに基づく第２の所定部数の画像形成を実行するに先立って、予め１部数分だけの画像形成を自装置に実行させる第２の画像形成指示ステップと、
前記第１の画像形成装置が、前記自装置に保存されている画像データに基づき、少なくとも前記第１の所定部数の残余分の画像形成を自装置に実行させる第３の画像形成指示ステップと、
前記第２の画像形成装置が、前記送信された画像データに基づき、少なくとも前記第２の所定部数の残余分の画像形成を自装置に実行させる第４の画像形成指示ステップと
を有することを特徴とする画像形方法。
【請求項３３】  前記第３および第４の画像形成指示ステップはそれぞれ、前記第１および／または第２の画像形成指示ステップによる指示に基づき画像形成された後、ユーザから実行指令を受け取った場合に、各画像形成を自装置に実行させることを特徴とする請求項３２記載の画像形成方法。
【請求項３４】  ネットワークで接続された少なくとも２つの画像形成装置からなる画像形成システムに適用される画像形成方法を、コンピュータに実行させるためのプログラムにおいて、
前記画像形成方法が、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、前記自装置に保存されている画像データに基づき、少なくとも前記第１の所定部数の残余分の画像形成を自装置に実行させる第２の画像形成指示ステップと、
前記第１の画像形成装置が、前記自装置に保存されている画像データを第２の画像形成装置に送信する送信ステップと、
前記第２の画像形成装置が、前記送信された画像データに基づき第２の所定部数の画像形成を自装置に実行させる第３の画像形成指示ステップと
を有することを特徴とするプログラム。
【請求項３５】  ネットワークで接続された少なくとも２つの画像形成装置からなる画像形成システムに適用される画像形成方法を、コンピュータに実行させるためのプログラムにおいて、
前記画像形成方法が、
第１の画像形成装置が、第２の画像形成装置に画像データを送信する送信ステップと、
前記第２の画像形成装置が、前記送信された画像データに基づく第１の所定部数の画像形成を実行するに先立って、予め１部数分だけの画像形成を自装置に実行させる第１の画像形成指示ステップと、
前記第１の画像形成装置が、自装置に保存されている画像データに基づき、第２の所定部数の画像形成を自装置に実行させる第２の画像形成指示ステップと、
前記第２の画像形成装置が、前記送信された画像データに基づき、少なくとも前記第１の所定部数の残余分の画像形成を自装置に実行させる第３の画像形成指示ステップと
を有することを特徴とするプログラム。
【請求項３６】  ネットワークで接続された少なくとも２つの画像形成装置からなる画像形成システムに適用される画像形成方法を、コンピュータに実行させるためのプログラムにおいて、
前記画像形成方法が、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、第２の画像形成装置に画像データを送信する送信ステップと、
前記第２の画像形成装置が、前記送信された画像データに基づく第２の所定部数の画像形成を実行するに先立って、予め１部数分だけの画像形成を自装置に実行させる第２の画像形成指示ステップと、
前記第１の画像形成装置が、前記自装置に保存されている画像データに基づき、少なくとも前記第１の所定部数の残余分の画像形成を自装置に実行させる第３の画像形成指示ステップと、
前記第２の画像形成装置が、前記送信された画像データに基づき、少なくとも前記第２の所定部数の残余分の画像形成を自装置に実行させる第４の画像形成指示ステップと
を有することを特徴とするプログラム。
【請求項３７】  ネットワークで接続された少なくとも２つの画像形成装置からなる画像形成システムに適用される画像形成方法をプログラムとして記憶した、コンピュータにより読み出し可能な記憶媒体において、
前記画像形成方法が、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、前記自装置に保存されている画像データに基づき、少なくとも前記第１の所定部数の残余分の画像形成を自装置に実行させる第２の画像形成指示ステップと、
前記第１の画像形成装置が、前記自装置に保存されている画像データを第２の画像形成装置に送信する送信ステップと、
前記第２の画像形成装置が、前記送信された画像データに基づき第２の所定部数の画像形成を自装置に実行させる第３の画像形成指示ステップと
を有することを特徴とする記憶媒体。
【請求項３８】  ネットワークで接続された少なくとも２つの画像形成装置からなる画像形成システムに適用される画像形成方法をプログラムとして記憶した、コンピュータにより読み出し可能な記憶媒体において、
前記画像形成方法が、
第１の画像形成装置が、第２の画像形成装置に画像データを送信する送信ステップと、
前記第２の画像形成装置が、前記送信された画像データに基づく第１の所定部数の画像形成を実行するに先立って、予め１部数分だけの画像形成を自装置に実行させる第１の画像形成指示ステップと、
前記第１の画像形成装置が、自装置に保存されている画像データに基づき、第２の所定部数の画像形成を自装置に実行させる第２の画像形成指示ステップと、
前記第２の画像形成装置が、前記送信された画像データに基づき、少なくとも前記第１の所定部数の残余分の画像形成を自装置に実行させる第３の画像形成指示ステップと
を有することを特徴とする記憶媒体。
【請求項３９】  ネットワークで接続された少なくとも２つの画像形成装置からなる画像形成システムに適用される画像形成方法をプログラムとして記憶した、コンピュータにより読み出し可能な記憶媒体において、
前記画像形成方法が、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、第２の画像形成装置に画像データを送信する送信ステップと、
前記第２の画像形成装置が、前記送信された画像データに基づく第２の所定部数の画像形成を実行するに先立って、予め１部数分だけの画像形成を自装置に実行させる第２の画像形成指示ステップと、
前記第１の画像形成装置が、前記自装置に保存されている画像データに基づき、少なくとも前記第１の所定部数の残余分の画像形成を自装置に実行させる第３の画像形成指示ステップと、
前記第２の画像形成装置が、前記送信された画像データに基づき、少なくとも前記第２の所定部数の残余分の画像形成を自装置に実行させる第４の画像形成指示ステップと
を有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、画像形成システム、画像形成方法、プログラム、及び記憶媒体に関し、特に、ネットワークで接続された少なくとも２つの画像形成装置からなる画像形成システム、該画像形成システムに適用される画像形成方法、該画像形成方法をコンピュータに実行させるためのプログラム、及び該プログラムを記憶したコンピュータにより読み出し可能な記憶媒体に関する。
【手続補正４】
【補正対象書類名】明細書
【補正対象項目名】０００８
【補正方法】変更
【補正の内容】
【０００８】
本発明はこのような問題点に鑑みてなされたものであって、複数部数を指定してのリモートコピー機能または重連コピー機能の実行時に、設定した項目が意図した通りに正しく実行されていることを事前に確認することを可能にした画像形成システム、画像形成方法、プログラム、及び記憶媒体を提供することを目的とする。
【手続補正５】
【補正対象書類名】明細書
【補正対象項目名】０００９
【補正方法】変更
【補正の内容】
【０００９】
【課題を解決するための手段】
上記目的を達成するために、請求項１記載の発明によれば、ネットワークで接続された少なくとも２つの画像形成装置からなる画像形成システムにおいて、第１の画像形成装置に設けられ、第２の画像形成装置に画像データを送信する送信手段と、前記第２の画像形成装置に設けられ、前記送信された画像データに基づく複数部数の画像形成を実行するに先立って、予め１部数分だけの画像形成を自装置に実行させる第１の画像形成指示手段と、前記第２の画像形成装置に設けられ、前記送信された画像データに基づき前記複数部数の残余分の画像形成を自装置に実行させる第２の画像形成指示手段とを有することを特徴とする画像形成システムが提供される。
また、請求項５記載の発明によれば、ネットワークで接続された少なくとも２つの画像形成装置からなる画像形成システムにおいて、第１の画像形成装置に設けられ、自装置に保存されている画像データに基づき１部数分の画像形成を自装置に実行させる第１の画像形成指示手段と、前記第１の画像形成装置に設けられ、前記自装置に保存されている画像データを第２の画像形成装置に送信する送信手段と、前記第２の画像形成装置に設けられ、前記送信された画像データに基づき複数部数の画像形成を自装置に実行させる第２の画像形成指示手段とを有することを特徴とする画像形成システムが提供される。
また、請求項９記載の発明によれば、ネットワークで接続された少なくとも２つの画像形成装置からなる画像形成システムに適用される画像形成方法において、第１の画像形成装置が、第２の画像形成装置に画像データを送信する送信ステップと、前記第２の画像形成装置が、前記送信された画像データに基づく複数部数の画像形成を実行するに先立って、予め１部数分だけの画像形成を自装置に実行させる第１の画像形成指示ステップと、前記第２の画像形成装置が、前記送信された画像データに基づき、少なくとも前記複数部数の残余分の画像形成を自装置に実行させる第２の画像形成指示ステップとを有することを特徴とする画像形成方法が提供される。
また、請求項１１記載の発明によれば、ネットワークで接続された少なくとも２つの画像形成装置からなる画像形成システムに適用される画像形成方法において、第１の画像形成装置が、自装置に保存されている画像データに基づき１部数分の画像形成を自装置に実行させる第１の画像形成指示ステップと、前記第１の画像形成装置が、前記自装置に保存されている画像データを第２の画像形成装置に送信する送信ステップと、前記第２の画像形成装置が、前記送信された画像データに基づき複数部数の画像形成を自装置に実行させる第２の画像形成指示ステップとを有することを特徴とする画像形成方法が提供される。
また、請求項１６記載の発明によれば、ネットワークで接続された少なくとも２つの画像形成装置からなる画像形成システムにおいて、第１の画像形成装置に設けられ、自装置に保存されている画像データに基づき第１の所定部数の画像形成を実行するに先立って、予め１部数分だけの画像形成を自装置に実行させる第１の画像形成指示手段と、前記第１の画像形成装置に設けられ、前記自装置に保存されている画像データに基づき、少なくとも前記第１の所定部数の残余分の画像形成を自装置に実行させる第２の画像形成指示手段と、前記第１の画像形成装置に設けられ、前記自装置に保存されている画像データを第２の画像形成装置に送信する送信手段と、前記第２の画像形成装置に設けられ、前記送信された画像データに基づき第２の所定部数の画像形成を自装置に実行させる第３の画像形成指示手段とを有することを特徴とする画像形成システムが提供される。
また、請求項２０記載の発明によれば、ネットワークで接続された少なくとも２つの画像形成装置からなる画像形成システムにおいて、第１の画像形成装置に設けられ、第２の画像形成装置に画像データを送信する送信手段と、前記第２の画像形成装置に設けられ、前記送信された画像データに基づく第１の所定部数の画像形成を実行するに先立って、予め１部数分だけの画像形成を自装置に実行させる第１の画像形成指示手段と、前記第１の画像形成装置に設けられ、自装置に保存されている画像データに基づき、第２の所定部数の画像形成を自装置に実行させる第２の画像形成指示手段と、前記第２の画像形成装置に設けられ、前記送信された画像データに基づき、少なくとも前記第１の所定部数の残余分の画像形成を自装置に実行させる第３の画像形成指示手段とを有することを特徴とする画像形成システムが提供される。
また、請求項２４記載の発明によれば、ネットワークで接続された少なくとも２つの画像形成装置からなる画像形成システムにおいて、第１の画像形成装置に設けられ、自装置に保存されている画像データに基づき第１の所定部数の画像形成を実行するに先立って、予め１部数分だけの画像形成を自装置に実行させる第１の画像形成指示手段と、前記第１の画像形成装置に設けられ、第２の画像形成装置に画像データを送信する送信手段と、前記第２の画像形成装置に設けられ、前記送信された画像データに基づく第２の所定部数の画像形成を実行するに先立って、予め１部数分だけの画像形成を自装置に実行させる第２の画像形成指示手段と、前記第１の画像形成装置に設けられ、前記自装置に保存されている画像データに基づき、少なくとも前記第１の所定部数の残余分の画像形成を自装置に実行させる第３の画像形成指示手段と前記第２の画像形成装置に設けられ、前記送信された画像データに基づき、少なくとも前記第２の所定部数の残余分の画像形成を自装置に実行させる第４の画像形成指示手段とを有することを特徴とする画像形成システムが提供される。
また、請求項２８記載の発明によれば、ネットワークで接続された少なくとも２つの画像形成装置からなる画像形成システムに適用される画像形成方法において、第１の画像形成装置が、自装置に保存されている画像データに基づき第１の所定部数の画像形成を実行するに先立って、予め１部数分だけの画像形成を自装置に実行させる第１の画像形成指示ステップと、前記第１の画像形成装置が、前記自装置に保存されている画像データに基づき、少なくとも前記第１の所定部数の残余分の画像形成を自装置に実行させる第２の画像形成指示ステップと、前記第１の画像形成装置が、前記自装置に保存されている画像データを第２の画像形成装置に送信する送信ステップと、前記第２の画像形成装置が、前記送信された画像データに基づき第２の所定部数の画像形成を自装置に実行させる第３の画像形成指示ステップとを有することを特徴とする画像形成方法が提供される。
また、請求項３０記載の発明によれば、ネットワークで接続された少なくとも２つの画像形成装置からなる画像形成システムに適用される画像形成方法において、第１の画像形成装置が、第２の画像形成装置に画像データを送信する送信ステップと、前記第２の画像形成装置が、前記送信された画像データに基づく第１の所定部数の画像形成を実行するに先立って、予め１部数分だけの画像形成を自装置に実行させる第１の画像形成指示ステップと、前記第１の画像形成装置が、自装置に保存されている画像データに基づき、第２の所定部数の画像形成を自装置に実行させる第２の画像形成指示ステップと、前記第２の画像形成装置が、前記送信された画像データに基づき、少なくとも前記第１の所定部数の残余分の画像形成を自装置に実行させる第３の画像形成指示ステップとを有することを特徴とする画像形成方法が提供される。
また、請求項３２記載の発明によれば、ネットワークで接続された少なくとも２つの画像形成装置からなる画像形成システムに適用される画像形成方法において、第１の画像形成装置が、自装置に保存されている画像データに基づき第１の所定部数の画像形成を実行するに先立って、予め１部数分だけの画像形成を自装置に実行させる第１の画像形成指示ステップと、前記第１の画像形成装置が、第２の画像形成装置に画像データを送信する送信ステップと、前記第２の画像形成装置が、前記送信された画像データに基づく第２の所定部数の画像形成を実行するに先立って、予め１部数分だけの画像形成を自装置に実行させる第２の画像形成指示ステップと、前記第１の画像形成装置が、前記自装置に保存されている画像データに基づき、少なくとも前記第１の所定部数の残余分の画像形成を自装置に実行させる第３の画像形成指示ステップと、前記第２の画像形成装置が、前記送信された画像データに基づき、少なくとも前記第２の所定部数の残余分の画像形成を自装置に実行させる第４の画像形成指示ステップとを有することを特徴とする画像形方法が提供される。
さらに、上記の各画像形成方法をコンピュータにそれぞれ実行させるためのプログラムおよび該各プログラムをそれぞれ記憶した記憶媒体が提供される。
【手続補正６】
【補正対象書類名】明細書
【補正対象項目名】０１１７
【補正方法】削除
【補正の内容】
【手続補正７】
【補正対象書類名】明細書
【補正対象項目名】０１１８
【補正方法】削除
【補正の内容】
【手続補正８】
【補正対象書類名】明細書
【補正対象項目名】０１１９
【補正方法】削除
【補正の内容】
【手続補正９】
【補正対象書類名】明細書
【補正対象項目名】０１２０
【補正方法】削除
【補正の内容】
【手続補正１０】
【補正対象書類名】明細書
【補正対象項目名】０１２１
【補正方法】削除
【補正の内容】
【手続補正１１】
【補正対象書類名】明細書
【補正対象項目名】０１２２
【補正方法】削除
【補正の内容】
【手続補正１２】
【補正対象書類名】明細書
【補正対象項目名】０１２３
【補正方法】削除
【補正の内容】
【手続補正１３】
【補正対象書類名】明細書
【補正対象項目名】０１２４
【補正方法】削除
【補正の内容】
【手続補正１４】
【補正対象書類名】明細書
【補正対象項目名】０１２５
【補正方法】削除
【補正の内容】
【手続補正１５】
【補正対象書類名】明細書
【補正対象項目名】０１２６
【補正方法】削除
【補正の内容】
【手続補正１６】
【補正対象書類名】明細書
【補正対象項目名】０１２７
【補正方法】削除
【補正の内容】
【手続補正１７】
【補正対象書類名】明細書
【補正対象項目名】０１２８
【補正方法】削除
【補正の内容】
【手続補正１８】
【補正対象書類名】明細書
【補正対象項目名】０１２９
【補正方法】削除
【補正の内容】
【手続補正１９】
【補正対象書類名】明細書
【補正対象項目名】０１３０
【補正方法】削除
【補正の内容】
【手続補正２０】
【補正対象書類名】明細書
【補正対象項目名】０１３１
【補正方法】削除
【補正の内容】
【手続補正２１】
【補正対象書類名】明細書
【補正対象項目名】０１３２
【補正方法】削除
【補正の内容】
【手続補正２２】
【補正対象書類名】明細書
【補正対象項目名】０１３３
【補正方法】削除
【補正の内容】
【手続補正２３】
【補正対象書類名】明細書
【補正対象項目名】０１３４
【補正方法】削除
【補正の内容】
【手続補正２４】
【補正対象書類名】明細書
【補正対象項目名】０１３５
【補正方法】削除
【補正の内容】
【手続補正２５】
【補正対象書類名】明細書
【補正対象項目名】０１３６
【補正方法】削除
【補正の内容】
【手続補正２６】
【補正対象書類名】明細書
【補正対象項目名】０１３７
【補正方法】削除
【補正の内容】
【手続補正２７】
【補正対象書類名】明細書
【補正対象項目名】０１３８
【補正方法】削除
【補正の内容】
【手続補正２８】
【補正対象書類名】明細書
【補正対象項目名】０１３９
【補正方法】削除
【補正の内容】
【手続補正２９】
【補正対象書類名】明細書
【補正対象項目名】０１４０
【補正方法】削除
【補正の内容】
【手続補正３０】
【補正対象書類名】明細書
【補正対象項目名】０１４１
【補正方法】削除
【補正の内容】
【手続補正３１】
【補正対象書類名】明細書
【補正対象項目名】０１４２
【補正方法】削除
【補正の内容】
【手続補正３２】
【補正対象書類名】明細書
【補正対象項目名】０１４３
【補正方法】削除
【補正の内容】
【手続補正３３】
【補正対象書類名】明細書
【補正対象項目名】０１４４
【補正方法】削除
【補正の内容】
【手続補正３４】
【補正対象書類名】明細書
【補正対象項目名】０１４５
【補正方法】削除
【補正の内容】
【手続補正３５】
【補正対象書類名】明細書
【補正対象項目名】０１４６
【補正方法】削除
【補正の内容】
【手続補正３６】
【補正対象書類名】明細書
【補正対象項目名】０１４７
【補正方法】削除
【補正の内容】
【手続補正３７】
【補正対象書類名】明細書
【補正対象項目名】０１４８
【補正方法】削除
【補正の内容】
【手続補正３８】
【補正対象書類名】明細書
【補正対象項目名】０１４９
【補正方法】削除
【補正の内容】
【手続補正３９】
【補正対象書類名】明細書
【補正対象項目名】０１５０
【補正方法】削除
【補正の内容】
【手続補正４０】
【補正対象書類名】明細書
【補正対象項目名】０１５１
【補正方法】削除
【補正の内容】
【手続補正４１】
【補正対象書類名】明細書
【補正対象項目名】０１５２
【補正方法】削除
【補正の内容】
【手続補正４２】
【補正対象書類名】明細書
【補正対象項目名】０１５３
【補正方法】削除
【補正の内容】
【手続補正４３】
【補正対象書類名】明細書
【補正対象項目名】０１５４
【補正方法】削除
【補正の内容】
【手続補正４４】
【補正対象書類名】明細書
【補正対象項目名】０１５５
【補正方法】削除
【補正の内容】
【手続補正４５】
【補正対象書類名】明細書
【補正対象項目名】０１５６
【補正方法】削除
【補正の内容】
【手続補正４６】
【補正対象書類名】明細書
【補正対象項目名】０１５７
【補正方法】削除
【補正の内容】
【手続補正４７】
【補正対象書類名】明細書
【補正対象項目名】０１５８
【補正方法】削除
【補正の内容】